(57)【要約】【課題】  原稿の画像を読み取るスキャナ部と、装置下方に配され記録部に被記録材を供給するカセットと、を備える画像読取記録装置において、装置の高さを抑えた画像読取記録装置を提供する。【解決手段】  装置下方に配され記録部に向けて被記録材を給送する第１の給送部と、装置上面後方に配され前記記録部に向けて被記録材を給送する第２の給送部と、装置上面に配され原稿の画像を読み取るスキャナ部と、を備え、スキャナ部は装置底面に対して傾斜して配され、原稿ガラスに載置された原稿を押える原稿カバーに操作部を設ける。【選択図】  図１
2008053819.tif 000002
【特許請求の範囲】
【請求項１】
装置下方に配され記録部に向けて被記録材を給送する第１の給送部と、
装置上面後方に配され前記記録部に向けて被記録材を給送する第２の給送部と、
前記第１の給送部または前記第２の給送部から前記記録部に向けて被記録材をガイドするガイド部材と、
装置上面に配され原稿の画像を読み取るスキャナ部と、
を備える画像読取記録装置において、
前記スキャナ部は装置底面に対して傾斜して配され、原稿ガラスに載置された原稿を押える原稿カバーに操作部を設けることを特徴とする画像読取記録装置。
【請求項２】
前記原稿カバーに対して開閉可能に表示部を設け、該表示部を閉じたときに前記操作部を覆うことを特徴とする請求項１に記載の画像読取記録装置。
【請求項３】
装置本体の後方であって前記第２の給送部の側方にメイン基板を配することを特徴とする請求項１または２に記載の画像読取記録装置。
【請求項４】
装置本体の後方であって前記第２の給送部の側方に電源を配することを特徴とする請求項１ないし３のいずれか１項に記載の画像読取記録装置。
【請求項５】
装置本体の前面であって記録ヘッドにより記録が行われた被記録材を排紙する排紙部の側方にカードスロットを配することを特徴とする請求項１ないし４のいずれか１項に記載の画像読取記録装置。
【請求項６】
装置本体の前方であって記録ヘッドにより記録が行われた被記録材を排紙する排紙部の側方に、排紙トレイを開閉するためのソレノイドを配することを特徴とする請求項１ないし４のいずれか１項に記載の画像読取記録装置。
【請求項７】
前記記録ヘッドはインクを吐出して被記録材に記録を行うインクジェット記録ヘッドであることを特徴とする請求項１ないし６のいずれか１項に記載の画像読取記録装置。
【発明の詳細な説明】
【技術分野】
【０００１】
本発明は、原稿の画像を読み取るスキャナ部と、画像情報に基づいて被記録材に記録を行う記録部と、を備える画像読取記録装置に関し、詳細には、装置の操作部および表示部を備える画像読取記録装置に関する。
【背景技術】
【０００２】
従来の画像読取記録装置を図６に示す。画像読取記録装置は、原稿の画像を読み取るスキャナ部と、搬送部により搬送された被記録材に画像を記録する記録部と、を備える。図６に示すように、従来の画像読取記録装置は、被記録材を積載するカセット１１を装置の底面に有し、カセット１１の鉛直方向上方に給送部１、搬送部３を備え、そのさらに鉛直方向上方に記録部５を有している。そして、記録部の鉛直方向上方にスキャナ部７を有する構成であった。さらに、装置前面に操作部７７、および表示部が固定されていた。
【特許文献１】特開２００６−７８７１７号公報
【発明の開示】
【発明が解決しようとする課題】
【０００３】
しかしながら、従来の構成では、カセット１１の鉛直方向上方に給送部１、搬送部３、記録部５を備え、さらにその鉛直方向上方にスキャナ部７を積み上げた構成であるため、装置の高さが高くなってしまっていた。また、従来の構成では、装置前面に操作部、表示部を設けていたため、装置の奥行きが大きくなってしまっていた。
【０００４】
このような事情に鑑みて、本発明の目的は、原稿の画像を読み取るスキャナ部と、装置下方に配され記録部にシート材を給送するカセットと、を備える画像読取記録装置において、装置の高さを抑えた画像読取記録装置を提供することにある。
【課題を解決するための手段】
【０００５】
本発明は、上記目的を達成するため、装置下方に配され記録部に向けて被記録材を給送する第１の給送部と、装置上面後方に配され前記記録部に向けて被記録材を給送する第２の給送部と、前記第１の給送部または前記第２の給送部から前記記録部に向けて被記録材をガイドするガイド部材と、装置上面に配され原稿の画像を読み取るスキャナ部と、を備える画像読取記録装置において、前記スキャナ部は装置底面に対して傾斜して配され、原稿ガラスに載置された原稿を押える原稿カバーに操作部を設けることを特徴とする。
【発明の効果】
【０００６】
本発明によれば、原稿の画像を読み取るスキャナ部と、装置下方に配され記録部に被記録材を供給するカセットと、を備える画像読取記録装置において、装置の高さを抑えた画像読取記録装置を提供することができる。
【発明を実施するための最良の形態】
【０００７】
次に本発明に係る一実施形態である画像読取記録装置について説明する。
【０００８】
（第１の実施形態）
本発明の第１の実施形態を図１〜図３に基いて説明する。図１は本発明の第１の実施形態に係る画像読取記録装置の断面図である。図２は第１の実施形態に係る画像読取記録装置の正面図、図３は第１の実施形態に係る画像読取記録装置の平面図である。本発明の画像読取記録装置は、第１の給送部１、第２の給送部２、搬送部３、排紙部４、キャリッジ部５、クリーニング部、スキャナ部７、筐体、電装部等から構成されている。
【０００９】
（Ａ）給送部
本実施形態では２つの給送部を有している。第１の給送部１は装置下方に配され、第２の給送部２は装置上面後方に配されている。第１の給送部１は、被記録材を積載する装置本体に着脱可能なカセット１１、カセット１１に配された支点を中心に揺動する圧板１２、圧板１２に積載された被記録材と当接し被記録材を給送する給送ローラ１３、給送ローラ１３と当接することにより被記録材を分離する分離ローラ１４、等が外装ベース８１に取り付けられる構成となっている。カセット１１は外装ベース８１に設けたレール上をスライドし、装置本体に着脱可能になっている。また、被記録材は水平に積載されるので、被記録材の側面を規制するサイドガイド１６と、被記録材の後端を規制するエンドガイド１５とが、カセット１１に設けられている。
【００１０】
給送ローラ１３は断面円弧の棒状をしており、被記録材の積載する際の基準側に被記録材を給送するための１つの給送ローラゴムが設けられている。圧板１２は外装ベース８１に結合された回転軸を中心に回動可能で、給送ローラ１３に対して当接、離間する。被記録材は給送ローラ１３で給送されるとともに、分離ローラ１４により１枚ずつ分離されて給送される。
【００１１】
第２の給送部２は、被記録材を積載する圧板２２、被記録材を給送する給送ローラ２３、被記録材を分離する分離ローラ２４、等が給送ベース２１に取り付けられる構成となっている。圧板２２には、被記録材の積載位置を規制するための可動サイドガイド２６が移動可能に設けられている。圧板２２は給送ベース２１に結合された回転軸を中心に回動可能であり、圧板バネにより給送ローラ２３に付勢される。圧板２１の給送ローラ２８と対向する部位には、積載された複数の被記録材のラスト紙近傍の被記録材の重送を防止するための摩擦係数の大きい材質からなる分離シートが設けられている。圧板２２は圧板カムによって、給送ローラ２３に対して当接、離間できるように構成されている。積載された被記録材を保持するための給送トレイ２５が、外装に取り付けられている。給送トレイ２５は多段式で使用時は引出して用いる。
【００１２】
（Ｂ）搬送部、排紙部
搬送部は、被記録材をガイドするガイド部３１、搬送ローラ３２、ピンチローラ３３、プラテン３４等から構成されている。排紙部は、第１の排紙ローラ４１、第２の排紙ローラ４２、拍車４３、排紙トレイ４４等から構成されている。
【００１３】
第１の給送部、第２の給送部から給送された被記録材は、ガイド部３１にガイドされて搬送ローラ３２、ピンチローラ３３から構成されるローラ対まで搬送される。ここで、被記録材は、搬送ローラ３２、ピンチローラ３３のローラ対により高精度に搬送され、プラテン３４に支持されることにより記録ヘッド５１との距離を適正に保ちつつ記録が行われる。記録が行われた被記録材は、第１の排紙ローラ４１、第２の排紙ローラ４２、拍車４３から構成されるローラ対により搬送されて排紙トレイ４４上に排出される。
【００１４】
また、両面記録の際は、表面に記録が行われた被記録材を再度装置内に引き込み、両面ガイド部３５を通して反転させ、再度ガイド部３１にガイドされて裏面に記録が行われる。
【００１５】
（Ｃ）キャリッジ部
キャリッジ部５は、記録ヘッド５１、キャリッジ５２、ガイドシャフト５３、ガイドレール５４等から構成されている。
【００１６】
キャリッジ５２には記録ヘッドが搭載され、被記録材の搬送方向と交差する方向に配されたガイドシャフト５２と、キャリッジ５０の後端を支持して記録ヘッド５１と被記録材との隙間を維持するガイドレール５４と、によって往復走査可能に案内される。キャリッジ５２は、モータ駆動がベルトなどにより伝達されることにより被記録材の搬送方向と交差する方向に往復走査する。その際、画像信号に応じて記録ヘッド５１よりインクが吐出されて、被記録材に画像が形成される。
【００１７】
（Ｄ）クリーニング部
クリーニング部６は、記録ヘッド５１のクリーニングを行うポンプ、記録ヘッド５１の乾燥を抑えるためのキャップ、記録ヘッド５１のフェイス面をクリーニングするブレード等から構成されている。
【００１８】
（Ｅ）スキャナ部
スキャナ部７は、センサをリニアに配列してセルフォックレンズなどを介して画像を読み取るコンタクトセンサ７１、コンタクトセンサ７１を搭載して走査するスキャナキャリッジ７２、スキャナキャリッジ７２をガイドするスキャナガイドシャフト７３、原稿を載置する原稿ガラス７４、これらスキャナ関連部品を収納するスキャナベース７５、原稿ガラス７４上の原稿を押える原稿カバー７６等から構成される。
【００１９】
コンタクトセンサ７１を搭載したスキャナキャリッジ７２は、モータ駆動がベルトなどにより伝達されることによりスキャナガイドシャフト７３上を走査する構成になっている。スキャナキャリッジ７２の上に透明な原稿ガラス７４が配され、コンタクトセンサ７１が所定の圧で下側から原稿ガラス７４に付勢されている。
【００２０】
原稿カバー７６は、スキャナベース７５に設けた回転支点を中心に回動可能であり、原稿ガラス７４上に載置された原稿をしっかり押えられるように構成されている。
【００２１】
（Ｆ）筐体
筐体は、外装ベース８１、ミドルフレーム８２等から構成されている。
【００２２】
外装ベース上に、画像記録に関する、第１の給送部、第２の給送部、搬送部、排紙部、キャリッジ部、クリーニング部の各ユニットが構成され、ミドルフレーム８２で覆われている。その上に、スキャナ部７が搭載される。スキャナベース７５にはミドルフレーム８２との結合部が設けられ、その結合部を支点としてスキャナ部７は回動可能に構成されている。キャリッジ５２に対して記録ヘッドおよびインクタンクを着脱するときは、スキャナ部７を持ち上げることにより、キャリッジ５２が露出する構成となっている。
【００２３】
（Ｇ）電装部
電装部は、画像読取記録装置全体の動作、処理を行うメイン基板９１、電源９２、メモリカードなどを挿入するためのメモリスロット９３、操作部７７の裏面に設けられた操作部用スイッチ、ＬＥＤなどが設けられたパネル基板等から構成されている。
【００２４】
次に本発明の特徴的な構成である、各ユニットの構成、配置などについて、図１〜図３を用いて説明する。
【００２５】
図１は本発明の第１の実施形態に係る画像読取記録装置の断面図である。被記録材を積載するカセット１１、被記録材を給送、分離するための給送ローラ１３、分離ローラ１４等から構成される第１の給送部１が装置前面下部に配されている。画像読取記録装置の装置後部から上部にかけて、第１の給送部１から給送された被記録材が搬送されるガイド部３１が設けられている。カセット１１は被記録材を積載した状態で装置内に完全に収納される。カセット１１とガイド部３１とを合わせた長さで、装置の奥行き寸法が決定する。図１に示すように、第１の給送部１の装置奥行き方向の長さをＬ１、ガイド部３１の奥行き寸法をＬ２とすると、Ｌ１＋Ｌ２が装置の奥行き寸法となる。被記録材を装置内に完全に収納することができるので、デザインの自由度を高めることができる。そして、後述の構成を含め、被記録材のサイズと、被記録材の搬送経路の必要スペース内に装置構成を収納することができ、実使用時の装置サイズを最小にすることができる。
【００２６】
ガイド部３１の上部には、被記録材を積載する圧板２２、被記録材を給送する給送ローラ２３、被記録材を分離する分離ローラ２４等を保持する給送ベース２１を備える第２の給送部２が配されている。第１の給送部１、または第２の給送部２から給送された被記録材は、ガイド部３１を搬送された後に、カセット１１の上部に配された搬送ローラ３２、ピンチローラ３３、プラテン３４および排紙部４に向けて搬送される。
【００２７】
記録ヘッド５１、キャリッジ５２、ガイドシャフト５３、ガイドレール５４等から構成されるキャリッジ部５は、第１の給送部１、搬送部３、排紙部４の上方に配されている。また、読取センサ７１を搭載したスキャナキャリッジ７２、スキャナガイドシャフト７３、原稿ガラス７４、スキャナベース７５、原稿カバー７６等から構成されるスキャナ部７が、キャリッジ部５の上方に配されている。
【００２８】
スキャナ部７は、装置底面に対して傾斜して配されている。この構成により、原稿カバー７６の前面に操作部７７を設けることができ、従来のスキャナ部の上方に操作部を積み上げていた構成に比べ、装置サイズを小さくすることができる。
【００２９】
図２に示すように、操作部７７には、情報を表示する液晶表示部７８１を搭載した操作部カバー７８が設けられ、非使用時は操作部７７を覆い隠すのでデザインの自由度を高めるとともに、埃などが操作部７７や液晶表示部７８１上に溜まるのを防ぐことができる。操作カバー７８を開くと、液晶表示部７８１が現れるとともに、原稿カバー７６側に操作キー７９が現れる構成となっている。操作部７７を原稿カバー７６に設けることで、従来の操作部が装置前方に出っ張る構成でなくなり、装置の奥行き寸法を小さくすることができる。また、新聞や地図などのように原稿ガラス７４からはみ出すような原稿であっても、操作部７７が原稿で隠れてしまうことがなく、操作性が向上する。
【００３０】
図３は第１の実施形態に係る画像読取記録装置の平面図である。図３に示すように、メイン基板９１は装置左後方であって第２の給送部２の側方に配されている。電源９２は装置右後方であって第２の給送部２の側方に配されている。カードスロット９３は装置前面右側であって排紙部４の側方に配されている。また、図２に示すように、排紙トレイ４４の自動開閉を行うためのソレノイド４５が装置前方左側に配されている。ソレノイド４５の可動ピンは、未使用時は排紙トレイ４４に対してロック側に作用している。開指示が来ると、ソレノイド４５の可動ピンが排紙トレイ４４から抜け、自重または付勢バネ圧により排紙トレイ４４を開くことができる。以上のように、スキャナ部７および記録装置の必要構成で形成される最小キューブ形状内に、電装部を最適配置することにより、装置サイズを小さく抑えることができる。
【００３１】
（第２の実施形態）
図４は本発明の第２の実施形態に係る画像読取記録装置の断面図である。図５は第２の実施形態に係る画像読取記録装置の平面図である。
【００３２】
第１の実施形態では、スキャナ部を装置底面に対して斜めに配し、操作部７７を原稿カバー７６に設けたが、本実施形態では装置右端に操作部７７を設けている。図５に示すように、操作部７７は原稿カバー７６ではなく、スキャナベース７５に設けられている。原稿ガラス７４と操作部７７とが装置の厚み方向で重ならないためスキャナ部７を装置底面に対して傾斜させる必要がない。また、第１の実施形態では操作カバー７８を設ける構成としたが、本実施形態においては操作キー７９が直接露出しており、操作キー７９とずらして液晶表示部７８１を設けている。この構成により、装置高さを抑えた画像読取記録装置を提供することができる。その他の構成については、第１の実施形態と同様である。
【図面の簡単な説明】
【００３３】
【図１】本発明の第１の実施形態に係る画像読取記録装置の断面図である。
【図２】第１の実施形態に係る画像読取記録装置の正面図である。
【図３】第１の実施形態に係る画像読取記録装置の平面図である。
【図４】第２の実施形態に係る画像読取記録装置の断面図である。
【図５】第２の実施形態に係る画像読取記録装置の平面図である。
【図６】従来の画像読取記録装置の断面図である。
【符号の説明】
【００３４】
１  第１の給送部
２  第２の給送部
３  搬送部
４  排紙部
５  キャリッジ部
７  スキャナ部
１１  カセット
１２  圧板
１３  給送ローラ
１４  分離ローラ
２１  給送ベース
２２  圧板
２３  給送ローラ
２４  分離ローラ
２５  給送トレイ
３１  ガイド部
３２  搬送ローラ
３３  ピンチローラ
３４  プラテン
４１  第１の排紙ローラ
４２  第２の排紙ローラ
４３  拍車
４３  排紙トレイ
５１  記録ヘッド
５２  キャリッジ
７１  読取センサ
７２  スキャナキャリッジ
７４  原稿ガラス
７５  スキャナベース
７６  原稿カバー
７７  操作部
７８  操作カバー
７８１  液晶表示部
７９  操作キー
【図１】
2008053819.tif 000003
【図２】
2008053819.tif 000004
【図３】
2008053819.tif 000005
【図４】
2008053819.tif 000006
【図５】
2008053819.tif 000007
【図６】
2008053819.tif 000008